(57)【要約】【課題】大量の画像の中から目的の画像を検索する際のタッチパネル操作を好適化してその使い勝手を向上させることを実現した再生装置を提供する。【解決手段】この発明の再生装置は、タッチパネル付画像表示装置を備えており、その表示部に撮像画像を表示し、必要に応じて、例えば環状のオブジェクトｃ１を撮像画像に重畳させて表示する。そして、この環状のオブジェクトｃ１上を指でなぞる円または弧を描くようなタッチパネル操作が行われると、その描画（回り）方向に応じて、表示する撮像画像を順方向または逆方向に連続的に切り換える。【選択図】      図５
2006040050.tif 000002
【特許請求の範囲】
【請求項１】
画像を表示する表示手段と、
前記表示手段上に設けられるタッチパネルと、
その軌跡が円または弧を描く前記タッチパネル上での摺動動作を誘導するためのオブジェクトを表示画像に重畳させて前記表示手段に表示するオブジェクト表示手段と、
前記オブジェクト表示手段により表示された前記オブジェクト上をなぞる前記タッチパネル上での摺動動作を検出する検出手段と、
前記検出手段により前記摺動動作が検出された場合、前記表示手段に表示させる画像を連続的に切り換える表示切換手段と
を具備することを特徴とする再生装置。
【請求項２】
前記表示切換手段は、前記オブジェクト上を第１の方向になぞる摺動動作が前記検出手段により検出された場合、前記表示手段に表示させる画像を順方向に切り換え、前記オブジェクト上を前記第１の方向と逆の第２の方向になぞる摺動動作が前記検出手段により検出された場合、前記表示手段に表示させる画像を逆方向に切り換えていくことを特徴とする請求項１記載の再生装置。
【請求項３】
前記オブジェクト表示手段は、環状の前記オブジェクトを前記表示手段の画面の中央部に表示することを特徴とする請求項１記載の再生装置。
【請求項４】
前記オブジェクト表示手段は、円弧状の前記オブジェクトを前記表示手段の画面の周辺部に表示することを特徴とする請求項１記載の再生装置。
【請求項５】
前記オブジェクト表示手段は、前記タッチパネルへの接触動作を誘導するための第２のオブジェクトを表示画像に重畳させて前記表示手段に表示する手段を有し、
前記検出手段は、前記オブジェクト表示手段により表示された前記第２のオブジェクトに触れる前記タッチパネルへの接触動作を検出する手段を有し、
前記表示切換手段は、前記検出手段により前記接触動作が検出された場合、前記表示手段に表示させる画像を次の画像に切り換える手段を有する
ことを特徴とする請求項３記載の再生装置。
【請求項６】
表示画面上に設けられるタッチパネルと、
その軌跡が円または弧を描く摺動動作が前記タッチパネル上で行われた場合、前記表示画面上の画像を連続的に切り換える第１の表示切換手段と、
前記タッチパネルへの単発的な接触動作が行われた場合、前記表示画面上の画像を次の画像に切り換える第２の表示切換手段と
を具備することを特徴とする再生装置。
【請求項７】
前記摺動動作を誘導するためのオブジェクトを表示画像に重畳させて前記表示画面上に表示すると共に、その円または弧の中心に相当する箇所に表示画像に関する情報を表示する表示制御手段をさらに具備することを特徴とする請求項６記載の再生装置。
【請求項８】
前記第１の表示切換手段は、その軌跡が円または弧を描く前記表示画面の中央部での摺動動作に応じて、前記表示画面上の画像を連続的に切り換えることを特徴とする請求項６記載の再生装置。
【請求項９】
前記第１の表示切換手段は、その軌跡が弧を描く前記表示画面の周辺部での摺動動作に応じて、前記表示画面上の画像を連続的に切り換えることを特徴とする請求項６記載の再生装置。
【請求項１０】
前記第２の表示切換手段は、前記表示画面の周辺部での接触動作に応じて、前記表示画面上の画像を前後の画像に切り換えることを特徴とする請求項８記載の再生装置。
【請求項１１】
前記表示制御手段は、前記オブジェクトを重畳させた表示画像の部分が前記オブジェクトを透過して参照できるように前記オブジェクトを半透明化させて表示することを特徴とする請求項７記載の再生装置。
【請求項１２】
請求項１記載の再生装置と、
撮像手段と
を具備し、
前記再生装置の表示切換手段が、前記撮像手段により撮像された画像に関する表示切り換えを行うことを特徴とするカメラ。
【請求項１３】
請求項６記載の再生装置と、
撮像装置と
を具備し、
前記再生装置の第１および第２の表示切換手段が、前記撮像手段により撮像された画像に関する表示切り換えを行うことを特徴とするカメラ。
【請求項１４】
画像を表示する表示手段と、前記表示手段上に設けられるタッチパネルとを具備する再生装置の表示切換方法であって、
その軌跡が円または弧を描く前記タッチパネル上での摺動動作を誘導するためのオブジェクトを表示画像に重畳させて前記表示手段に表示し、
前記表示した前記オブジェクト上をなぞる前記タッチパネル上での摺動動作を検出し、
前記摺動動作を検出した場合、前記表示手段に表示させる画像を連続的に切り換える
ことを特徴とする再生装置の表示切換方法。
【請求項１５】
表示画面上に設けられるタッチパネルを具備する再生装置の表示切換方法であって、
その軌跡が円または弧を描く摺動動作が前記タッチパネル上で行われた場合、前記表示画面上の画像を連続的に切り換え、
前記タッチパネルへの単発的な接触動作が行われた場合、前記表示画面上の画像を次の画像に切り換える
ことを特徴とする再生装置の表示切換方法。
【発明の詳細な説明】
【技術分野】
【０００１】
この発明は、例えば大量の画像の中から目的の画像を迅速に検索するためのタッチパネルを利用したユーザインタフェース技術に関する。
【背景技術】
【０００２】
近年、半導体メモリの大容量化および低価格化が進んでおり、ＰＤＡ（Personal Digital Assistant）やデジタルカメラなどの携帯機器でも大容量の半導体メモリが使用されるようになってきている。これに伴い、１つの記録媒体に記録可能な画像数は増加の一途を辿っており、記録媒体に記録された大量の画像の中から目的の画像を簡単な操作で短時間に見つけ出すための検索手法が求められている。
【０００３】
この種の検索手法の中で最も一般的であるのが、複数のサムネイル画像を一括して表示させ、この画像を十字キー等で順次送って行く手法である。また、これ以外の画像を送る手法として、ジョグダイヤルを用いるものも存在する。例えば、本体周壁のＬＣＤ（Liquid Crystal Display）搭載面と対向する面にジョグダイヤルを設けて、このジョグダイヤルを回転操作することにより、ＬＣＤに表示させる画像を順次切り換える手法等も提案されている（例えば特許文献１等参照）。
【０００４】
一方、設置型の電子機器では、ユーザからの入力を受け付ける装置として、タッチパネルが広く利用されている。このタッチパネルは、ある程度の操作面積が必要なので、画面が小さい携帯機器には不向きである。しかしながら、最近では、ＬＣＤの価格が下がってきているため、携帯機器にもサイズの大きいＬＣＤを搭載可能となってきており、タッチパネルを利用し易い環境に変わりつつある。
【０００５】
タッチパネルの操作手法としては、ボタンを押下するような接触動作を行わせることが良く知られているが、これ以外に、例えば、タッチパネル面に直線を描くような摺動動作を行わせ、そのなぞる方向と速度とに応じて、画像の再生速度を変化させる手法等も提案されている（例えば特許文献２等参照）。
【特許文献１】特開平１１−２３１９８９号公報
【特許文献２】特開２００４−１０４５９４号公報
【発明の開示】
【発明が解決しようとする課題】
【０００６】
ここで、このタッチパネルを携帯機器での画像検索に利用する場合を考える。まず、ボタンを押下するような操作では、１枚ずつゆっくりと画像を送っていく分には問題がないが、多くの画像を手早く連続的に送りたい場合には不向きである。指の早い動作が要求されるからである。また、直線を描くような操作も、やはり何枚も連続して送りたい場合には不向きである。
【０００７】
一方、ジョグダイヤルは、ダイヤルの設置スペースが通常の操作部材よりも多く必要となるので、ある程度の大きさのタッチパネルを搭載させる場合、さらにジョグダイヤルを併設することは、機器の大型化を招くため現実的ではない。
【０００８】
この発明は、このような事情を考慮してなされたものであり、大量の画像の中から目的の画像を検索する際のタッチパネル操作を好適化してその使い勝手を向上させることを実現した再生装置、カメラおよび再生装置の表示切換方法を提供することを目的とする。
【課題を解決するための手段】
【０００９】
前述した目的を達成するために、この発明の再生装置は、画像を表示する表示手段と、前記表示手段上に設けられるタッチパネルと、その軌跡が円または弧を描く前記タッチパネル上での摺動動作を誘導するためのオブジェクトを表示画像に重畳させて前記表示手段に表示するオブジェクト表示手段と、前記オブジェクト表示手段により表示された前記オブジェクト上をなぞる前記タッチパネル上での摺動動作を検出する検出手段と、前記検出手段により前記摺動動作が検出された場合、前記表示手段に表示させる画像を連続的に切り換える表示切換手段とを具備することを特徴とする。
【００１０】
また、この発明のカメラは、前記再生装置と、撮像手段とを具備し、前記再生装置の表示切換手段が、前記撮像手段により撮像された画像に関する表示切り換えを行うことを特徴とする。
【００１１】
また、この発明の再生装置の表示切換方法は、画像を表示する表示手段と、前記表示手段上に設けられるタッチパネルとを具備する再生装置の表示切換方法であって、その軌跡が円または弧を描く前記タッチパネル上での摺動動作を誘導するためのオブジェクトを表示画像に重畳させて前記表示手段に表示し、前記表示した前記オブジェクト上をなぞる前記タッチパネル上での摺動動作を検出し、前記摺動動作を検出した場合、前記表示手段に表示させる画像を連続的に切り換えることを特徴とする。
【発明の効果】
【００１２】
この発明によれば、大量の画像の中から目的の画像を検索する際のタッチパネル操作を好適化してその使い勝手を向上させることを実現した再生装置、カメラおよび再生装置の表示切換方法を提供することができる。
【発明を実施するための最良の形態】
【００１３】
以下、図面を参照してこの発明の一実施形態について説明する。
【００１４】
図１は、本実施形態に係る再生装置の外観図である。この再生装置１は、カメラ付のオーディオプレーヤであり、その筐体正面には、図１（ａ）に示すように、被写体からの被写体光を取り込むための撮影窓１０１と、被写体に向けて補助光を照射するための照明窓１０２が設けられる。
【００１５】
また、この再生装置１の筐体背面には、図１（ｂ）に示すように、タッチパネル付画像表示装置１５が配置される。再生装置１の動作モードが撮影モードにある場合、その表示面には被写体像がいわゆるスルー画として表示され、タッチパネルの任意の検出領域に触れる（接触動作）と、その動作がいわゆるレリーズ指示として認識されて撮影処理が実行される。動作モードが画像再生モードにある場合には、その表示面には例えば１枚の撮影画像が表示され、タッチパネル上での所定の動作に応じて、表示対象の撮影画像を切り換え制御する。そして、本実施形態の再生装置１は、この表示画像を切り換えるためのタッチパネル操作を好適化してその使い勝手を向上させることを実現したものであり、この点は後に詳述する。
【００１６】
さらに、この再生装置１の筐体上面には、図１（ｃ）に示すように、電源をオン／オフするための電源ボタン１０３が設けられる。
【００１７】
図２は、本実施形態の再生装置１および再生装置１に付属されるスタンド装置２の機器構成図である。
【００１８】
この再生装置１は、ＣＰＵ１１によって装置全体の制御が司られており、その制御手順を記述した各種プログラムがＲＯＭ１２に格納されている。図１（ａ）に示した撮影窓１０１には、カメラ装置１３のレンズ１３１が設けられ、このレンズ１３１を通過した被写体光は、撮像素子１３２に入射して、その撮像面上に被写体像を結像する。
【００１９】
撮像素子１３２は、光電変換を行なう複数の画素を２次元のマトリクス状に配列して撮像面を構成し、さらに撮像面にカラーフィルタを配置したものであり、撮像面に結像された被写体像に対応した信号電荷を蓄積する。撮像素子１３２は、露光や読み出しなどの各種制御が撮像部１３３によって行われ、その出力は、撮像部１３３でデジタル信号に変換された後、システムバス経由で画像処理部１４に画像信号として入力される。また、撮像部１３３は、ストロボ１３４の発光制御も行っており、ストロボ１３４で発光された補助光は、図１（ａ）に示した照明窓１０２を通過して被写体を照明する。
【００２０】
カメラ装置１３からの画像信号をシステムバス経由で受け取った画像処理部１４は、その画像信号に対して、ＩＳＯ感度設定、オートホワイトバランス、輝度／色信号生成、ガンマ処理等を施すことにより、所定フォーマットのカラー画像信号を生成する。このカラー画像信号は、表示出力に適した形態に変換されてタッチパネル付画像表示装置１５に供給され、スルー画として画像表示部１５１にリアルタイムに表示されると共に、記録に適した形態に変換（圧縮符号化）されてシステムバス経由でハードディスク１６に撮像画像として記録される。
【００２１】
スルー画が画像表示部１５１にリアルタイム表示されるタッチパネル付画像表示装置１５のタッチパネル１５２は、その状態が検出部１７によって監視され、何らかのタッチパネル操作が行われると、タッチされた位置が検出部１７で検出されてその位置情報がＣＰＵ１１に通知される。例えば、前述のレリーズ操作に相当する任意の位置でのタッチを検出部１７から通知されると、ＣＰＵ１１は、画像表示部１５１にスルー画として表示中の画像をハードディスク１６に記録すべく装置全体を制御する。また、この検出部１７からの通知のほか、ＣＰＵ１１は、図１（ｃ）に示した電源ボタン１０３を含む操作部１８からの制御信号に応じて、電源のオン／オフなどの装置全体の制御を実行する。
【００２２】
以上のようにハードディスク１６に記録された撮像画像は、画像再生モード時、画像処理部１４によって読み出され、伸長復号化が施されてタッチパネル付画像表示装置１５の画像表示部１５１に表示される。そして、この画像表示部１５１に表示させる撮像画像の切り換えは、検出部１７からＣＰＵ１１への通知、つまりタッチパネル付画像表示装置１５のタッチパネル１５２上での操作によって実行される。
【００２３】
また、この再生装置１は、クレードルなどと称されるスタンド装置２に取り外し自在に装着することができ、スタンド装置２に装着されると、筐体周壁に設けられたコネクタ１０４がスタンド装置２側のコネクタ２０１と嵌合し、双方が電気的に接続されるようになっている。このスタンド装置２には、ＵＳＢ端子２０２、ビデオ出力端子２０３、ＤＣ入力端子２０４が設けられ、ＵＳＢ端子２０２にはパーソナルコンピュータ（ＰＣ）３、ビデオ出力端子２０３にはテレビジョン装置（ＴＶ）４、ＤＣ入力端子２０４にはＡＣアダプタ５をそれぞれ接続することができる。
【００２４】
ＵＳＢ端子２０２は、コネクタ２０１，１０４経由で再生装置１のインタフェース（ＩＦ）部１９と繋がれ、再生装置１は、このＩＦ部１９の制御の下、ＰＣ３との間で通信を行うことが可能となる。例えば、ハードディスク１６に記録された撮像画像をＰＣ３に転送したり、ＰＣ３から圧縮符号化された音楽データを受信してハードディスク１６に記録することができる。再生装置１は、動作モードとして音楽再生モードを有し、この音楽再生モード時、音声処理部２０は、ハードディスク１６から音楽データを読み出し、伸長復号化およびアナログ化を施して音声出力端子１０５に出力する。ユーザは、ヘッドフォン等を音声出力端子１０５に接続することにより、この音楽を視聴することができる。
【００２５】
また、ビデオ出力端子２０３は、コネクタ２０１，１０４経由で再生装置１の画像処理部１４と繋がれる。画像処理部１４は、ＣＰＵからの通知に応じて、タッチパネル付画像表示装置１５の画像表示部１５１に対するカラー画像信号の供給に代えて、ＴＶ４に対するカラー画像信号の供給を実行する。この際、画像処理部１４は、カラー画像信号を、ＴＶ４での表示出力に適した形態（ＮＴＳＣ）に変換する。
【００２６】
さらに、ＤＣ入力端子２０４は、コネクタ２０１，１０４経由で再生装置１の電源回路２１と繋がれる。電源回路２１は、スタンド装置２を介してＡＣアダプタ５が接続されたことを検知すると、電源をバッテリ２２からＡＣアダプタ５に切り換えると共に、ＡＣアダプタ５からの電力によってバッテリ２２を充電制御する。
【００２７】
図３は、この再生装置１が提示するメニューおよびこのメニューによって形成される再生装置１の主要な状態の階層関係を示す図である。
【００２８】
図３に示すように、再生装置１は、まず、写真メニューａ１、音楽メニューａ２、リミックス（音楽画像）メニューａ３の３つの項目を選択肢として提示する。なお、この再生装置１のＣＰＵ１１は、電源ボタン１０３により電源がオフされた際の状態を保持すると共に、電源ボタン１０３により電源がオンされた際、その保持した状態を復元するいわゆるサスペンド／レジューム機能を有している。従って、電源オン時には、通常は、前回の電源オフ時の画面が提示されることになる。
【００２９】
写真メニューａ１は、画像の撮像、撮像画像の再生、撮像画像の整理を行う際に選択されるメニューである。音楽メニューａ２は、音楽の再生、音楽の検索の際に選択されるメニューである。リミックス（音楽画像）メニューａ３は、特殊な映像効果で再生される画像と共に音楽を再生したり、音楽、画像および映像効果の組み合わせを設定（リミックスの作成）する際に選択されるメニューである。なお、これらのメニューの選択は、タッチパネル付画像表示装置１５の画像表示部１５１上の表示領域に触れるように各々に対応するタッチパネル１５２上の検出領域に触れることにより行われる。以下、表示画像を切り換えるためのタッチパネル操作に関わる写真メニューａ１が選択された場合について説明する。
【００３０】
写真メニューａ１が選択されると、再生装置１は、今度は、撮影モードａ１１、画像再生モードａ１２、アルバム管理モードａ１３のいずれかに移行するためのメニューを提示する。撮影モードａ１１は、画像を撮像するためのモード、画像再生モードａ１２は、画像を再生するためのモード、アルバム管理モードａ１３は、撮像画像をいわゆるフォルダに分類整理するためのモードである。そして、画像再生モードａ１１が選択されると、再生装置１は、ハードディスク１６に記録された撮影画像をタッチパネル付画像表示装置１５の画像表示部１５１に表示する再生処理を実行する。
【００３１】
撮影画像を表示させる方法として、この再生装置１では、１コマビューａ１２１、アルバム再生ビューａ１２２、オール（サムネイル）ビューａ１２３、デイトビューａ１２４の４つの方法が用意されている。１コマビューａ１２１は、ハードディスク１６に記録された撮像画像を例えば撮像日時順等で１枚ずつ切り換えながら表示する方法であり、アルバム再生ビューａ１２２は、ユーザが任意に選択したグループ（アルバム）内の撮像画像のみを１コマビューａ１２１と同様に表示する方法である。また、オール（サムネイル）ビューａ１２３は、ｎ行×ｍ列分の枚数の撮像画像をいわゆるサムネイル画像で一覧表示し、ｎ×ｍ枚ずつ切り換えながら表示する方法であり、デイトビューａ１２４は、指定された年、月、日と一致する撮像日付の撮像画像をハードディスク１６から検索して時刻順に１枚ずつ切り換えながら表示する方法である。以上の４つの方法のうち、１コマビューａ１２１およびアルバム再生ビューａ１２２では、「クルリ操作」および「プッシュ操作」を行うことができ、以下、これらの操作について詳述する。
【００３２】
いま、再生装置１は、画像再生モードａ１２の状態にあり、１コマビューａ１２１で表示画像の切り換えを行っているものと想定する。図４に、タッチパネル付画像表示装置１５の画像表示部１５１の表示例を示す。
【００３３】
図４は、１コマビューａ１２１で「プッシュ操作」を行う場合の表示例であり、画面全体に撮像画像が表示されるほか、その周辺部に、各種操作用のオブジェクトｂ１〜ｂ３が表示される。オブジェクトｂ１は、撮像画像を順方向（典型的には撮像日時の古いものから新しいものへと向かう順）に１枚ずつ切り換えるための表示であり、この表示領域に触れる、つまり対応するタッチパネル１５２上の検出領域に触れると、現在表示中の撮像画像の次（例えば次に撮像日時が新しい）の撮像画像がハードディスク１６から読み出されて表示されることになる。一方、この逆に、オブジェクトｂ２は、撮像画像を逆方向に１枚ずつ切り換えるための表示である。つまり、「プッシュ操作」は、１回のタッチパネル操作で１枚ずつ撮像画像を切り換える操作である。そして、オブジェクトｂ３は、「プッシュ操作」から「クルリ操作」に移行するための表示であり、このオブジェクトｂ３に触れると、画像表示部１５１の表示は、図５に示すように切り換わる。
【００３４】
「クルリ操作」に切り換わると、撮像画像に重ね合わせるように、環状のオブジェクトｃ１が中央部に表示される。このオブジェクトｃ１は、撮像画像を連続的に切り換えるための表示であり、第１の方向（例えば右回り）に円を描くようにオブジェクトｃ１上をなぞる（摺動動作：図中の破線矢印）と、例えば１周毎に４枚、つまりほぼ９０°分の円弧が描かれる度に１枚ずつ順方向に撮像画像が連続的に切り換わる。図６は、このタッチパネル操作により撮像画像が切り換わる様子を示している。図６に示すように、「クルリ操作」の場合は、切り換え前の撮像画像が切り換え後の撮像画像に押し出されるようにスライド式に連続して切り換わっていく。なお、この「クルリ操作」の場合は、すべての撮像画像が表示対象となるのではなく、各日の代表画像（例えばその日の最初に撮像された画像）、各月の代表画像、各年の代表画像を表示対象とする。従って、日単位に設定されている場合、オブジェクトｃ１に沿って円を描くと、表示中の撮像画像の撮像日の次に新しい撮影日の代表画像に切り換わることになる。つまり、「プッシュ操作」と比べて、所定の時間単位の間隔での高速検索が行えるわけである。もちろん、「クルリ操作」によって、代表画像ではなく、撮影順序に従って画像を１枚ずつ切換えるようにしてもよい。
【００３５】
また、第１の方向とは逆の第２の方向（例えば左回り）に円を描くようにオブジェクトｃ１上をなぞると、第１の方向の場合と同様の要領で、逆方向に撮像画像が連続的に切り換わる。つまり、「クルリ操作」は、円または円弧を描くようなタッチパネル操作で連続的に撮像画像を切り換える操作である。何枚もの画像を連続して送りたい場合、「プッシュ操作」では、指の早い動作が要求され、また、例えば直線を描くようなタッチパネル操作では、始点側の一端から終点側の他端に至るまで線分を描き終えてしまうと、その都度指を始点まで戻すための動作が必要となる。これに対して、円を描くようなタッチパネル操作では、人間工学的にも適った動作で連続的な撮像画像の切り換えを実現し、その使い勝手を向上させる。
【００３６】
なお、この「クルリ操作」のためのタッチパネル操作は、オブジェクトｃ１上のどの箇所を始点としても構わない。また、その操作が確かに「クルリ操作」として認識されていることをユーザに示すために、この再生装置１は、ユーザの指の動き、つまり円を描く軌跡に追随させるように、オブジェクトｃ１の外周個所を瞬間的に高輝度にする。これによって、あたかも彗星がオブジェクトｃ１上を進むような映像をユーザに提示することができるので、「クルリ操作」を受け付けたことを通知できる。さらに、このオブジェクトｃ１を撮像画像に重ねる場合、撮像画像の該当個所がオブジェクトｃ１を透過して参照できるように、このオブジェクトをハーフトーン化（半透明化）する。
【００３７】
また、この「クルリ操作」用にオブジェクトｃ１を表示する際、その中心に相当する位置に、各撮像画像についての情報を表示する（図５のｃ２等）。ここでは、各撮像画像の撮像日時を表示することを基本とし、図６に示した「クルリ操作」中は、各撮像画像が全体（分母）の何番目（分子）に位置するのかを示す数字を表示する。
【００３８】
また、図５に示した画像表示部１５１の表示の右下部のオブジェクトｃ３は、この「クルリ操作」で表示画像を切り換える際の時間単位の大きさを設定する設定画面に移行するための表示であり、このオブジェクトｃ３に触れると、画像表示部１５１の表示は、図７に示すような設定画面に切り換わる。
【００３９】
図７に示すように、この設定画面には、「Ｙ／Ｍ／Ｄ」ｄ１、「Ｙ／Ｍ」ｄ２、「Ｙ」ｄ３の３つが選択肢として提示され、「Ｙ／Ｍ／Ｄ」ｄ１が選択されると、日単位で、各日の代表画像を順次表示し、「Ｙ／Ｍ」ｄ２が選択されると、月単位で、各月の代表画像を順次表示し、「Ｙ」ｄ３が選択されると、年単位で、各年の代表画像を順次表示するように「クルリ操作」を設定する。
【００４０】
次に、図８乃至図１１のフローチャートを参照して、この再生装置１の画像再生モードでの動作原理について説明する。図８には、画像再生モードにおける基本フローが示されている。
【００４１】
画像再生モード時、ＣＰＵ１１は、まず、クルリ釦（図４オブジェクトｂ３）が押下されたかどうかを検出部１７からの通知により判定する（ステップＡ１）。もし、クルリ釦が押下されていたら（ステップＡ１のＹＥＳ）、ＣＰＵ１１は、図９にその流れを示すクルリ操作を実行制御する（ステップＡ２）。一方、クルリ釦が押下されていなければ（ステップＡ１のＮＯ）、ＣＰＵ１１は、図１０にその流れを示すプッシュ操作を実行制御する（ステップＡ３）。そして、ＣＰＵ１１は、このクルリ操作またはプッシュ操作に応じて、図１１にその流れを示す画像表示を実行制御する（ステップＡ４）。
【００４２】
クルリ操作の場合、ＣＰＵ１１は、タッチパネル操作の有無を検出部１７からの通知により判定し（ステップＢ１）、何らかの操作があれば（ステップＢ１のＹＥＳ）、その操作が図５オブジェクトｃ１上をなぞる動きかどうかを調べる（ステップＢ２）。もし、なぞる動きであれば（ステップＢ２のＹＥＳ）、ＣＰＵ１１は、その動きが右回りかどうかを調べ（ステップＢ３）、右回りであれば（ステップＢ３のＹＥＳ）、表示すべき画像のコマ番号を順方向に１つ進め（ステップＢ４）、一方、左回りであれば（ステップＢ３のＮＯ）、コマ番号を逆方向に１つ戻す（ステップＢ５）。
【００４３】
また、プッシュ操作の場合、ＣＰＵ１１は、タッチパネル操作の有無を検出部１７からの通知により判定し（ステップＣ１）、その操作が図４オブジェクトｂ１の押下であれば（ステップＣ２のＹＥＳ）、表示すべき画像のコマ番号を順方向に１つ進める（ステップＣ３）。一方、その操作が図４オブジェクトｂ２の押下であれば（ステップＣ２のＮＯ，ステップＣ４のＹＥＳ）、コマ番号を逆方向に１つ戻す（ステップＣ５）。
【００４４】
クルリ操作またはプッシュ操作が行われると、ＣＰＵ１１は、まず、ハードディスク１６から読み出すべき画像のコマ番号を特定する（ステップＤ１）。そして、この特定したコマ番号を画像をハードディスク１６から読み出すと共に、その復号伸長を画像処理部１４に行わせ（ステップＤ２）、タッチパネル付画像表示装置１５の画像表示部１５１に表示させる（ステップＤ３）。
【００４５】
このように、本実施形態の再生装置では、多くの画像を手早く連続的に送りたい場合、人間工学的にも適った円を描くようなタッチパネル操作で行えるので、その使い勝手を向上させることができる。
【００４６】
ところで、図５では、「クルリ操作」のガイド表示として、環状のオブジェクトｃ１を画面中央部に表示する例を示したが、「クルリ操作」用のタッチパネル操作を誘導することができれば、これに限らず、種々の形状を適用することができる。例えば、図１２に示すように、弧を描くようなタッチパネル操作を誘導する円弧状（半円形状）のオブジェクトｅ１を画面周辺部に表示しても良い。この場合も、ユーザ自身は円を描くように指を動かせば、その動きの一部で弧を描くようなタッチパネル操作を行え、かつ、表示画像への影響を小さくすることができる（邪魔にならない）。この場合、図５ではオブジェクトｃ１の中心に相当する位置に表示していた情報（図５のｃ２等）は、例えば図１２に示したように、画面右下部等に表示するようにすれば良い。勿論、必ずしも円を描く動きの一部で弧を描かなければならない訳ではなく、その選択はユーザの自由である。
【００４７】
また、「クルリ操作」を行いながら画像を観賞することを考慮すれば、例えばその表示領域を押下するタッチパネル操作が行われた場合、図１２（ａ）から図１２（ｂ）の状態へと、オブジェクトｅ１をその一端を残して枠外に収納し、その残された一端の表示領域を押下するタッチパネル操作が行われた場合、図１２（ｂ）から図１２（ａ）の状態へと復帰させるようにオブジェクトｅ１を表示制御することも有効である。なお、この表示制御は、図５に示した画面中央部に表示する環状のオブジェクトｃ１について行うことも可能である。
【００４８】
さらに、円を描く動きの一部で弧を描かせるためのガイド表示としては、矩形の表示画面の辺部のほか、図１３に示したように、例えば左上などの隅部に扇状のオブジェクトｆ１を配置することも可能である。この扇状のオブジェクトｆ１を例えば左上などの隅部に配置することで可能となる表示画像の切り換え制御の一応用例を説明する。
【００４９】
いま、すべての撮像画像が「春」、「夏」、「秋」、「冬」のいずれかに属するようにカテゴリー分けされているものとする。カテゴリーは、前述したアルバムと同様な画像のグループを意味する。図１４には、このカテゴリー分けの概念が示されている。そして、画像表示部１５１には、図１５に示す「春」の代表画像が表示中であるものとする。図示のように、オブジェクトｆ１の中心部には、そのカテゴリが「春」であることを示す情報が提示されている（ｆ２）。ここで、もし、表示画像を順方向また逆方向に１枚ずつ切り換えるためのオブジェクトｂ１，ｂ２への接触が行われると、再生装置１は、「春」のカテゴリー内で順方向または逆方向に切り換える。一方、左上のオブジェクトｆ１上を図示の破線の方向になぞるようなタッチパネル操作が行われると、図１６に示すように、あたかも上の画像が下りてくるような、つまり図１４のフィールドＢがフィールドＡの領域に移動してくるような様子を示しながら、表示するカテゴリーを「春」から「夏」へと切り換えて、図１７に示すように、「夏」の代表画像を表示する。図示のように、オブジェクトｆ１の中心部に提示される情報も、これに伴い、カテゴリーが「夏」である情報に切り換わる（ｆ２）。つまり、オブジェクトｆ１でカテゴリー間の大きな切り換えを行い、オブジェクトｂ１，ｂ２でカテゴリー内の小さな切り換えを行うわけである。従って、図１７の状態でオブジェクトｂ１，ｂ２に接触すると、「夏」のカテゴリー内で順方向または逆方向に切り換えることができ、また、オブジェクトｆ１上を図示の破線の方向になぞると、さらに「秋」にカテゴリーを切り換えることができる。
【００５０】
なお、ここでは、図１４に示すように、「春」、「夏」、「秋」、「冬」の４つにカテゴリー分けする一応用例を説明したが、これに限らず、２以上のカテゴリをオブジェクトｆ１に対するタッチパネル操作で巡回的に切り換えるようにすればよい。また、オブジェクトｆ１に対するタッチパネル操作でアルバムの切り換えを行い、オブジェクトｂ１，ｂ２に対するタッチパネル操作でアルバム内での順方向または逆方向への切り換えを行うようにしてもよい。
【００５１】
そのほか、図１８に示したように、「プッシュ操作」用のオブジェクトｂ１，ｂ２と共に「クルリ操作」用のオブジェクトｃ１を配置し、同一画面上において「プッシュ操作」および「クルリ操作」の両方を行えるような仕様とすることも可能である。
【００５２】
なお、前述した実施形態では、「クルリ操作」用のタッチパネル操作を誘導するためのガイド表示を撮像画像上に重畳させる例を示したが、このガイド表示を行うことなく「クルリ操作」用のタッチパネル操作を受け付けるようにしても構わない。また、前述した実施形態では、撮影画像を表示する例を示したが、これに限らず、図１９および図２０に示すように、漫画や文書の表示を切り換えるため等に「クルリ操作」を適用することも当然に可能である。
【００５３】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５４】
【図１】この発明の実施形態に係る再生装置の外観図
【図２】同実施形態の再生装置の機器構成図
【図３】同実施形態の再生装置が提示するメニューおよびこのメニューによって形成される再生装置の主要な状態の階層関係を示す図
【図４】同実施形態の再生装置が表示する「プッシュ操作」画面を示す図
【図５】同実施形態の再生装置が表示する「クルリ操作」画面を示す図
【図６】同実施形態の再生装置が「クルリ操作」を受けて表示画像を切り換える様子を示す図
【図７】同実施形態の再生装置が表示する「クルリ操作」設定画面を示す図
【図８】同実施形態の再生装置の画像再生モードにおける基本フローを示すフローチャート
【図９】同実施形態の再生装置が実行制御する「クルリ操作」の流れを示すフローチャート
【図１０】同実施形態の再生装置が実行制御する「プッシュ操作」の流れを示すフローチャート
【図１１】同実施形態の再生装置が実行制御する画像表示の流れを示すフローチャート
【図１２】同実施形態の再生装置が表示する「クルリ操作」画面の第１の変形例を示す図
【図１３】同実施形態の再生装置が表示する「クルリ操作」画面の第２の変形例を示す図
【図１４】同実施形態の再生装置が表示する「クルリ操作」画面の第２の変形例の一応用例を説明するための第１の図（画面切り換えの概念）
【図１５】同実施形態の再生装置が表示する「クルリ操作」画面の第２の変形例の一応用例を説明するための第２の図（「春」カテゴリの代表画像）
【図１６】同実施形態の再生装置が表示する「クルリ操作」画面の第２の変形例の一応用例を説明するための第３の図（「春」から「夏」へカテゴリが移動する様子）
【図１７】同実施形態の再生装置が表示する「クルリ操作」画面の第２の変形例の一応用例を説明するための第４の図（「夏」カテゴリの代表画像）
【図１８】同実施形態の再生装置が「プッシュ操作」および「クルリ操作」を同一画面で受け付ける場合の例を示す図
【図１９】同実施形態の再生装置が実行制御する「クルリ操作」の第１の応用例を示す図
【図２０】同実施形態の再生装置が実行制御する「クルリ操作」の第２の応用例を示す図
【符号の説明】
【００５５】
１…再生装置、２…スタンド装置、３…パーソナルコンピュータ（ＰＣ）、４…テレビジョン装置（ＴＶ）、５…ＡＣアダプタ、１１…ＣＰＵ、１２…ＲＯＭ、１３…カメラ装置、１４…画像処理部、１５…タッチパネル付画像表示装置、１６…ハードディスク、１７…検出部、１８…操作部、１９…インタフェース（ＩＦ）部、２０…音声処理部、２１…電源回路、２２…バッテリ、１０１…撮影窓、１０２…照明窓、１０３…電源ボタン、１０４…コネクタ、１０５…音声出力端子、１３１…レンズ、１３２…撮像素子、１３３…撮像部、１３４…ストロボ、１５１…画像表示部、１５２…タッチパネル、２０１…コネクタ、２０２…ＵＳＢ端子、２０３…ビデオ出力端子、２０４…ＤＣ入力端子。
【図１】
2006040050.tif 000003
【図２】
2006040050.tif 000004
【図３】
2006040050.tif 000005
【図４】
2006040050.tif 000006
【図５】
2006040050.tif 000007
【図６】
2006040050.tif 000008
【図７】
2006040050.tif 000009
【図８】
2006040050.tif 000010
【図９】
2006040050.tif 000011
【図１０】
2006040050.tif 000012
【図１１】
2006040050.tif 000013
【図１２】
2006040050.tif 000014
【図１３】
2006040050.tif 000015
【図１４】
2006040050.tif 000016
【図１５】
2006040050.tif 000017
【図１６】
2006040050.tif 000018
【図１７】
2006040050.tif 000019
【図１８】
2006040050.tif 000020
【図１９】
2006040050.tif 000021
【図２０】
2006040050.tif 000022